(57)【要約】【課題】ＧＰＳ信号を正常に受信できない期間においても、ダブルオーブン型のＯＣＸＯを用いることなく、精度の高いクロック信号を用いて動作できる通信装置を提供する。【解決手段】無線基地局は、水晶発振器１１が発生させる発振パルス信号Ｐｘｏからクロック信号ＣＬＫを生成する生成部１３と、ＧＰＳ受信機１２が受信するＧＰＳ信号から得られる基準パルス信号Ｐｒｅｆを用いてクロック信号ＣＬＫの周波数誤差を補正する誤差補正部１５と、温度を計測する温度センサ１４と、誤差補正部１５が補正した周波数誤差を示す誤差補正値を、誤差補正部１５が補正を行った際の温度と対応付けて記憶する補正値記憶部１６とを備える。基準パルス信号Ｐｒｅｆが得られなくなった場合、誤差補正部１５は、温度センサ１４が計測する温度に対応する誤差補正値を補正値記憶部１６から取得し、取得した誤差補正値を用いて周波数誤差を補正する。【選択図】図２
2010263503.tif 000002
【特許請求の範囲】
【請求項１】
水晶発振器と、ＧＰＳ受信機とを有する通信装置であって、
前記水晶発振器が発生させる発振パルス信号から、前記通信装置における同期に用いられるクロック信号を生成するクロック生成部と、
前記ＧＰＳ受信機が受信するＧＰＳ信号から得られる基準パルス信号を用いて、前記クロック信号の周波数誤差を補正する誤差補正部と、
前記水晶発振器の発振周波数に影響を与える温度を計測する温度計測部と、
前記誤差補正部が補正した前記周波数誤差を示す誤差補正値を、前記誤差補正部が補正を行った際の前記温度と対応付けて記憶する補正値記憶部と
を備え、
前記基準パルス信号が得られなくなった場合、前記誤差補正部は、前記温度計測部が計測する温度に対応する前記誤差補正値を前記補正値記憶部から取得し、取得した前記誤差補正値を用いて前記周波数誤差を補正する通信装置。
【請求項２】
時間を計測する計時部をさらに備え、
前記補正値記憶部は、前記誤差補正値を、前記誤差補正部が補正を行った際の前記時間と対応付けて記憶し、
前記基準パルス信号が得られなくなった場合、前記誤差補正部は、前記計時部が計測する時間と、前記温度計測部が計測する温度とに対応する前記誤差補正値を前記補正値記憶部から取得し、取得した前記誤差補正値を用いて前記周波数誤差を補正する請求項１に記載の通信装置。
【請求項３】
前記基準パルス信号が得られなくなった場合、前記誤差補正部は、前記計時部が計測する時間に応じて、前記周波数誤差の補正を行う時間間隔を変更する請求項１又は２に記載の通信装置。
【請求項４】
前記水晶発振器は、恒温槽が１つであるシングルオーブン型の恒温槽付水晶発振器である請求項１〜３の何れか一項に記載の通信装置。
【請求項５】
水晶発振器が発生させる発振パルス信号から、動作の同期をとるためのクロック信号を生成するステップと、
前記水晶発振器の発振周波数に影響を与える温度を計測するステップと、
ＧＰＳ受信機が受信するＧＰＳ信号から得られる基準パルス信号を用いて、前記クロック信号の周波数誤差を補正するステップと、
前記補正するステップにおいて補正した前記周波数誤差を示す誤差補正値を、前記補正するステップにおいて補正を行った際の前記温度と対応付けるステップと
を含み、
前記基準パルス信号が得られなくなった場合に、前記補正するステップでは、前記計測するステップにおいて計測する温度に対応する前記誤差補正値を用いて、前記周波数誤差を補正するクロック補正方法。
【発明の詳細な説明】
【技術分野】
【０００１】
本発明は、ＧＰＳ受信機を用いる通信装置及びクロック補正方法に関する。
【背景技術】
【０００２】
無線基地局等の通信装置は、動作の同期をとるためのクロック信号を生成するクロック信号生成装置を有する。このようなクロック信号生成装置には、一般的に、水晶発振器（ＸＯ）が用いられている。
【０００３】
水晶発振器は、温度が変化すると発振周波数が変化する特性（周波数温度特性）を持つ。このため、周波数の安定したクロック信号が必要とされる通信装置には、恒温槽付水晶発振器（以下、ＯＣＸＯ）が設けられる。ＯＣＸＯは、恒温槽内に水晶発振器を収納したものである。
【０００４】
近年では、２重の恒温槽を有するダブルオーブン型のＯＣＸＯが提供されている（例えば、特許文献１参照）。ダブルオーブン型のＯＣＸＯは、恒温槽が１つのみであるシングルオーブン型ＯＣＸＯと比較して、精度の高いクロック信号を生成できる。
【０００５】
また、ＧＰＳ（Global Positioning System）受信機を具備する通信装置においては、ＧＰＳ受信機が受信するＧＰＳ信号から得られる正確な基準パルス信号を利用し、クロック信号の周波数誤差を補正することができる。
【先行技術文献】
【特許文献】
【０００６】
【特許文献１】特開２００５−１１７１８９号公報
【発明の概要】
【発明が解決しようとする課題】
【０００７】
しかしながら、ＧＰＳを利用してクロック信号の周波数誤差を補正する構成は、ＧＰＳ信号を正常に受信できている場合には有効であるものの、ＧＰＳ信号を正常に受信できなくなると、クロック信号の周波数誤差を補正できず、クロック信号の精度が低下する問題がある。
【０００８】
一方で、ダブルオーブン型のＯＣＸＯを利用すれば、ＧＰＳ信号を正常に受信できない期間において、精度の高いクロック信号を生成可能になるが、ダブルオーブン型のＯＣＸＯはサイズ及びコストが大きいため、通信装置のサイズ及びコストが増大する問題がある。
【０００９】
そこで、本発明は、ＧＰＳ信号を正常に受信できない期間においても、ダブルオーブン型のＯＣＸＯを用いることなく、精度の高いクロック信号を用いて動作できる通信装置及びクロック補正方法を提供することを目的とする。
【課題を解決するための手段】
【００１０】
上述した課題を解決するために、本発明は以下のような特徴を有している。まず、本発明の第１の特徴は、水晶発振器（水晶発振器１１）と、ＧＰＳ受信機（ＧＰＳ受信機１２）とを有する通信装置（例えば無線基地局１）であって、前記水晶発振器が発生させる発振パルス信号（発振パルス信号Ｐｘｏ）から、前記通信装置における同期に用いられるクロック信号を生成するクロック生成部（クロック生成部１３）と、前記ＧＰＳ受信機が受信するＧＰＳ信号から得られる基準パルス信号（基準パルス信号Ｐｒｅｆ）を用いて、前記クロック信号の周波数誤差を補正する誤差補正部（誤差補正部１５）と、前記水晶発振器の発振周波数に影響を与える温度を計測する温度計測部（温度センサ１４）と、前記誤差補正部が補正した前記周波数誤差を示す誤差補正値を、前記誤差補正部が補正を行った際の前記温度と対応付けて記憶する補正値記憶部（補正値記憶部１６）とを備え、前記基準パルス信号が得られなくなった場合、前記誤差補正部は、前記温度計測部が計測する温度に対応する前記誤差補正値を前記補正値記憶部から取得し、取得した前記誤差補正値を用いて前記周波数誤差を補正することを要旨とする。
【００１１】
このような特徴によれば、基準パルス信号が得られないとき、すなわち、ＧＰＳ信号を正常に受信できないときには、温度計測部が計測する温度に対応する誤差補正値を補正値記憶部から取得し、取得した誤差補正値を用いて周波数誤差を補正する。
【００１２】
このように、温度と周波数誤差との対応関係を保持しておき、当該対応関係を使用して周波数誤差を補正することができる。これにより、ＧＰＳ信号を正常に受信できない場合であっても、ＧＰＳ信号を正常に受信できる場合の補正を再現でき、ダブルオーブン型のＯＣＸＯを用いずに正確なクロック信号を生成可能になる。
【００１３】
本発明の第２の特徴は、本発明の第１の特徴に係り、時間を計測する計時部（計時部１７）をさらに備え、前記補正値記憶部は、前記誤差補正値を、前記誤差補正部が補正を行った際の前記時間と対応付けて記憶し、前記基準パルス信号が得られなくなった場合、前記誤差補正部は、前記計時部が計測する時間と、前記温度計測部が計測する温度とに対応する前記誤差補正値を前記補正値記憶部から取得し、取得した前記誤差補正値を用いて前記周波数誤差を補正することを要旨とする。
【００１４】
本発明の第３の特徴は、本発明の第１又は第２の特徴に係り、前記基準パルス信号が得られなくなった場合、前記誤差補正部は、前記計時部が計測する時間に応じて、前記周波数誤差の補正を行う時間間隔を変更することを要旨とする。
【００１５】
本発明の第４の特徴は、本発明の第１〜第３の何れかの特徴に係り、前記水晶発振器は、恒温槽が１つであるシングルオーブン型の恒温槽付水晶発振器であることを要旨とする。
【００１６】
本発明の第５の特徴は、水晶発振器が発生させる発振パルス信号から、動作の同期をとるためのクロック信号を生成するステップと、前記水晶発振器の発振周波数に影響を与える温度を計測するステップと、ＧＰＳ受信機が受信するＧＰＳ信号から得られる基準パルス信号を用いて、前記クロック信号の周波数誤差を補正するステップと、前記補正するステップにおいて補正した前記周波数誤差を示す誤差補正値を、前記補正するステップにおいて補正を行った際の前記温度と対応付けるステップとを含み、前記基準パルス信号が得られなくなった場合に、前記補正するステップでは、前記計測するステップにおいて計測される温度に対応する前記誤差補正値を用いて、前記周波数誤差を補正することを要旨とする。
【発明の効果】
【００１７】
本発明によれば、ＧＰＳ信号を正常に受信できない期間においても、ダブルオーブン型のＯＣＸＯを用いることなく、精度の高いクロック信号を用いて動作できる通信装置及びクロック補正方法を提供できる。
【図面の簡単な説明】
【００１８】
【図１】本発明の実施形態に係る通信システムの全体概略構成図である。
【図２】本発明の実施形態に係るクロック信号生成装置の構成を示すブロック図である。
【図３】本発明の実施形態に係る補正値テーブルの構成例を示す図である。
【図４】本発明の実施形態に係るクロック信号生成装置の動作を示すフローチャートである。
【図５】本発明の実施形態に係る基地局本体部の内部実装例を示す図である。
【図６】補正値テーブルの解析結果の出力例を示す図である。
【発明を実施するための形態】
【００１９】
次に、図面を参照して、本発明の実施形態を説明する。具体的には、（１）全体概略構成、（２）無線基地局の構成、（３）クロック信号生成装置の動作、（４）基地局本体部の実装例、（５）作用効果、（６）その他の実施形態について説明する。以下の実施形態における図面の記載において、同一又は類似の部分には同一又は類似の符号を付している。
【００２０】
ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００２１】
（１）全体概略構成
図１は、本発明の通信装置の実施形態である無線基地局１を含む通信システムの全体概略構成図である。
【００２２】
図１に示す通信システムは、無線基地局１と、無線通信端末２とを有する。無線基地局１は、無線通信端末２との無線通信を行う。無線基地局１は、例えば電柱やビル壁面等に設置される小型基地局である。無線基地局１は、他の無線基地局と同期をとり、基地局間で連携した動作（例えば、干渉抑圧動作）を行っている。
【００２３】
無線基地局１は、アンテナ部１０５と、基地局本体部１００とを有する。アンテナ部１０５と基地局本体部１００とは、ケーブル１９０を介して接続される。基地局本体部１００は、電柱やビル壁面等に設置できるように小型・軽量に構成される。
【００２４】
（２）無線基地局の構成
図２は、基地局本体部１００に設けられるクロック信号生成装置１０の構成を示すブロック図である。
【００２５】
図２に示すように、クロック信号生成装置１０は、水晶発振器１１と、ＧＰＳ受信機１２と、クロック生成部１３と、温度センサ１４（温度計測部）と、誤差補正部１５と、補正値記憶部１６と、計時部１７とを有する。
【００２６】
水晶発振器１１は、所定の発振周波数で発振することによってパルス信号を発生させる。以下において、当該パルス信号を発振パルス信号Ｐｘｏと称する。水晶発振器１１は、水晶発振器１１の温度が変化すると発振周波数が変化する特性（周波数温度特性）を持つ。本実施形態では、水晶発振器１１は、恒温槽が１つであるシングルオーブン型ＯＣＸＯである。
【００２７】
温度センサ１４は、温度を計測する。ここで、温度センサ１４が計測する温度としては、水晶発振器１１の温度、基地局本体部１００内の温度、基地局本体部１００外の温度（外気温度）の３種類のうちの少なくとも１つである。これら３種類の温度は、水晶発振器１１の発振周波数に影響を与える。温度センサ１４が計測した温度は、誤差補正部１５に通知される。
【００２８】
水晶発振器１１としてＯＣＸＯを用いる場合には、水晶発振器１１に予め備えられている温度計測用の素子を温度センサ１４として使用できる。
【００２９】
基地局本体部１００内の温度を計測する場合、基地局本体部１００の筐体１１０（図５参照）内において、水晶発振器１１の外部に温度センサ１４が設けられる。外気温度を計測する場合、筐体１１０の外部に温度センサ１４が設けられる。
【００３０】
ＧＰＳ受信機１２は、協定世界時（ＵＴＣ）に同期した１秒周期のパルス信号である１ＰＰＳ（Pulse Per Second）を出力する。以下において、当該パルス信号を基準パルス信号Ｐｒｅｆと称する。ただし、ＧＰＳ受信機１２は、複数のＧＰＳ衛星と同期を取ることで基準パルス信号Ｐｒｅｆを得ているが、ＧＰＳ衛星との同期が取れなくなると基準パルス信号Ｐｒｅｆが得られなくなる。そのような場合、一般的に、水晶発振器１１の精度に依存したクロック信号ＣＬＫの生成（ホールドオーバ動作と称される）が行われる。
【００３１】
クロック生成部１３は、水晶発振器１１が発生させる発振パルス信号Ｐｘｏから、無線基地局１における同期に用いられるクロック信号ＣＬＫを生成する。例えば、クロック生成部１３は、発振パルス信号Ｐｘｏを所定パルス分カウントする毎に１クロック分のクロック信号ＣＬＫを出力するように構成されている。クロック生成部１３が生成したクロック信号ＣＬＫは、基地局本体部１００におけるデジタルユニット１０２（図５参照）等に供給される。
【００３２】
計時部１７は、現在の時間を計測する。計時部１７が計測する現在の時間とは、日付又は時刻の少なくとも一方である。計時部１７は、クロック生成部１３が生成するクロック信号ＣＬＫを用いて、現在の時間を計時する。温度センサ１４が計測する時間は、誤差補正部１５に通知される。
【００３３】
誤差補正部１５は、ＧＰＳ受信機１２からの基準パルス信号Ｐｒｅｆを用いて、クロック信号ＣＬＫの周波数誤差を補正する。基準パルス信号Ｐｒｅｆを用いて周波数誤差を補正する方法としては、既存の各種手法が利用できる。
【００３４】
補正値記憶部１６は、誤差補正部１５が補正した周波数誤差を示す誤差補正値と、誤差補正部１５が補正を行った際の温度と、誤差補正部１５が補正を行った際の時間とを対応付けたテーブルを記憶する。以下において、当該テーブルを補正値テーブルと称する。
【００３５】
図３は、補正値テーブルの一例を示す図である。図３の例では、各補正値テーブルにおいて、時間（日付及び時刻）と、誤差補正値（図３中の“１ＰＰＳ精度”）と、温度（ここでは、外気温度）とが対応付けられている。また、１０分毎に１つのテーブルが存在し、例えば２４時間分の補正値テーブルが作成される。なお、図３中のＰＰＢ（Parts Per Billion）とは、十億分の１を意味する。図３に示すような各補正値テーブルは、誤差補正部１５によって作成され、補正値記憶部１６によって記憶される。また、誤差補正部１５は、補正値記憶部１６に記憶されている補正値テーブルの更新も行う。
【００３６】
誤差補正部１５は、ＧＰＳ受信機１２から基準パルス信号Ｐｒｅｆが得られなくなった場合、すなわち、ホールドオーバ時には、温度センサ１４が計測する温度と、計時部１７が計測する時間とに対応する誤差補正値を補正値記憶部１６から取得し、取得した誤差補正値を用いて、クロック信号ＣＬＫの周波数誤差を補正する。
【００３７】
（３）クロック信号生成装置の動作
図４は、クロック信号生成装置１０の動作を示すフローチャートである。
【００３８】
ステップＳ１１において、誤差補正部１５は、ＧＰＳ受信機１２からの基準パルス信号Ｐｒｅｆが得られているか否かを判定する。ＧＰＳ受信機１２からの基準パルス信号Ｐｒｅｆが得られている場合には、処理がステップＳ１２に進み、得られていない場合には、処理がステップＳ１３に進む。
【００３９】
ステップＳ１２において、誤差補正部１５は、基準パルス信号Ｐｒｅｆを用いてクロック信号ＣＬＫの周波数誤差を補正するとともに、補正値テーブルを作成及び更新する。
【００４０】
ステップＳ１３〜ステップＳ１５では、ホールドオーバ時動作が行われる。
【００４１】
ステップＳ１３において、温度センサ１４が現温度を計測し、計時部１７が現時間（日付及び時刻）を計測する。
【００４２】
ステップＳ１４において、誤差補正部１５は、ステップＳ１３で計測された温度及び時間に一致する補正値テーブルが補正値記憶部１６に存在するか否かを判定する。
【００４３】
ステップＳ１３で計測された温度及び時間に一致する補正値テーブルが補正値記憶部１６に存在する場合、ステップＳ１４において誤差補正部１５は、当該補正値テーブルから誤差補正値を取得する。
【００４４】
そして、ステップＳ１５において誤差補正部１５は、取得した誤差補正値を用いて、クロック信号ＣＬＫの周波数誤差を補正する。
【００４５】
なお、ステップＳ１４において、誤差補正部１５は、ステップＳ１３で計測された温度及び時間の両方に一致する補正値テーブルが補正値記憶部１６に存在せず、ステップＳ１３で計測された温度に一致する補正値テーブルが補正値記憶部１６に存在する場合には、ステップＳ１４において当該補正値テーブルから誤差補正値を取得してもよい。
【００４６】
その際、ステップＳ１３で計測された温度に一致する補正値テーブルが複数存在する場合には、誤差補正部１５は、それらの補正値テーブルの中から、ステップＳ１３で計測された時間に最も近い時間の補正値テーブルを選択し、選択した補正値テーブルから誤差補正値を取得してもよい。
【００４７】
なお、ステップＳ１３〜ステップＳ１５のホールドオーバ動作に加え、次のような処理を行ってもよい。誤差補正部１５は、ステップＳ１３で計測された時間から前後一定期間に対応する複数の補正値テーブルを参照し、それらの補正値テーブル中の誤差補正値の変化量が所定値未満である場合には、クロック信号ＣＬＫの周波数誤差を補正する時間間隔を長くする。一方、誤差補正部１５は、ステップＳ１３で計測された時間から前後一定期間に対応する複数の補正値テーブルを参照し、それらの補正値テーブル中の誤差補正値の変化量が所定値以上である場合には、クロック信号ＣＬＫの周波数誤差を補正する時間間隔を短くする。これにより、補正の必要性が低い場合における処理負荷を軽減できる。
【００４８】
（４）基地局本体部の実装例
図５は、基地局本体部１００の内部実装例を示す図である。ただし、各電子部品間を接続する配線等、本発明に関連しない構成を省略している。
【００４９】
図５に示すように、基地局本体部１００は、筐体１１０と、パワーアンプユニット１０１と、デジタルユニット１０２と、電源ユニット１０３と、水晶発振器１１とを有する。
【００５０】
パワーアンプユニット１０１と、デジタルユニット１０２と、電源ユニット１０３と、水晶発振器１１とは、筐体１１０に収納されている。
【００５１】
筐体１１０の外表面には、筐体１１０内の各電子部品（パワーアンプユニット１０１、デジタルユニット１０２、電源ユニット１０３等）が発生する熱を外部に放出するための放熱フィン１１１が形成されている。
【００５２】
各電子部品（パワーアンプユニット１０１、デジタルユニット１０２、電源ユニット１０３等）は、熱を発生している。筐体１１０には、各電子部品（パワーアンプユニット１０１、デジタルユニット１０２、電源ユニット１０３等）が発する熱が伝達される。筐体１１０に伝達された熱は、筐体１１０の外表面（放熱フィン１１１等）から外気中に放出される。このように、基地局本体部１００の筐体１１０は、温度管理が図られている。
【００５３】
パワーアンプユニット１０１は、アナログ回路として構成される。パワーアンプユニット１０１は、パワーアンプ及びフィルタ回路等を含み、主に無線信号の増幅処理を行う。
【００５４】
デジタルユニット１０２は、デジタル回路として構成され、各種の信号処理を行う。デジタルユニット１０２は、ＤＳＰ、ＦＰＧＡ、ＭＰＵ等を含む。デジタルユニット１０２は、水晶発振器１１からのクロック信号に同期して動作する。デジタルユニット１０２には、上述した誤差補正部１５や補正値記憶部１６等が設けられている。
【００５５】
電源ユニット１０３は、アナログ回路として構成され、パワーアンプユニット１０１やデジタルユニット１０２等に電力を供給する。
【００５６】
図５の例において、電源ユニット１０３は、筐体１１０内側の下部に位置する。電源ユニット１０３は、筐体１１０の底壁に直接取り付けられている。
【００５７】
パワーアンプユニット１０１は、筐体１１０内側の上部に位置する。パワーアンプユニット１０１は、筐体１１０の上壁に直接取り付けられている。
【００５８】
デジタルユニット１０２は、筐体１１０内側の中央部に位置する。デジタルユニット１０２は、パワーアンプユニット１０１に取り付けられている。
【００５９】
水晶発振器１１は、筐体１１０内側の下部に位置する。水晶発振器１１は、筐体１１０に接触した状態で配設される。具体的には、筐体１１０の底壁に直接取り付けられている。
【００６０】
筐体１１０において水晶発振器１１が配設される部分は、常時動作する電子部品（例えば電源ユニット１０３）の近傍に位置しており、筐体１１０の中でも、最も温度変化が少ない部分である。
【００６１】
各電子部品（パワーアンプユニット１０１、デジタルユニット１０２、電源ユニット１０３等）のうちで、水晶発振器１１の動作温度範囲と最も動作温度範囲が近い電子部品の近傍に、水晶発振器１１を配設することが好ましい。水晶発振器１１の動作温度範囲は、水晶発振器１１の仕様上定められており、例えば６０℃〜７０℃程度である。
【００６２】
（５）作用効果
本実施形態によれば、誤差補正部１５は、基準パルス信号Ｐｒｅｆが得られないとき、すなわち、ＧＰＳ受信機１２がＧＰＳ信号を正常に受信できないときには、温度センサ１４が計測する温度に対応する誤差補正値を補正値記憶部１６から取得し、取得した誤差補正値を用いて周波数誤差を補正する。
【００６３】
このように、温度と周波数誤差との対応関係を保持しておき、当該対応関係を使用して周波数誤差を補正することができる。これにより、ＧＰＳ信号を正常に受信できない場合であっても、ＧＰＳ信号を正常に受信できる場合と同等の精度での補正が可能になる。
【００６４】
また、本実施形態では、温度に加えて時間を考慮して補正を行うことで、周波数誤差を補正する精度をさらに向上させることができる。
【００６５】
このように、過去データを元にして安定したクロック制御を行う仕組みを基地局内に作ることで、ダブルオーブン型のＯＣＸＯ等の高価なＯＣＸＯが必要なくなり、安価なＯＣＸＯを選択することが可能となる。また、オーブン（恒温槽）分のスペースを削減できるため、基地局内での他の電子部品の配設スペースを確保することが容易になる。
【００６６】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６７】
例えば、補正値記憶部１６に記憶されている補正値テーブルを解析し、解析結果を出力（表示又は印刷等）する手段をさらに設けてもよい。これにより、オペレータは、クロック信号生成装置１０の状態を把握することができる。補正値テーブルの解析結果を出力（表示又は印刷等）する例を図６に示す。補正値テーブルを作成することで、環境の変化に対する部品の特性データも収集する事が可能となるため、年間を通して収集したデータの分析を行うことで、温度変化と周波数変動の傾向が明確になる。収集データの分布を用いて得られた周波数の変動情報から、温度の変化に対する変動を予想することも可能となり、予測に用いた周波数の安定動作を行うこともできる。
【００６８】
また、上述した実施形態では、補正値テーブルに時間（日付及び時刻）が含まれていたが、時間を省略する構成も可能である。この場合、計時部１７を不要とすることができる。
【００６９】
上述した実施形態では、水晶発振器１１がシングルオーブン型の恒温槽付水晶発振器であると説明したが、恒温槽を有しない水晶発振器を水晶発振器１１として使用してもよい。
【００７０】
また、クロック信号生成装置１０を無線基地局１に設ける場合に限らない。近年の無線通信端末はＧＰＳ受信機を搭載しているものが多いため、無線通信端末２にクロック信号生成装置１０を設けることも可能である。
【００７１】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７２】
１…無線基地局、２…無線通信端末、１０…クロック信号生成装置、１１…水晶発振器、１２…ＧＰＳ受信機、１３…クロック生成部、１３…生成部、１４…温度センサ、１５…誤差補正部、１６…補正値記憶部、１７…計時部、１００…基地局本体部、１０１…パワーアンプユニット、１０２…デジタルユニット、１０３…電源ユニット、１０５…アンテナ部、１１０…筐体、１１１…放熱フィン、１９０…ケーブル
【図１】
2010263503.tif 000003
【図２】
2010263503.tif 000004
【図３】
2010263503.tif 000005
【図４】
2010263503.tif 000006
【図５】
2010263503.tif 000007
【図６】
2010263503.tif 000008